(57)【要約】【課題】本構成を有していない場合に比較して、より簡易な構成で、複数の用紙搬送路の用紙を検知することができる用紙検知装置を提供する。【解決手段】用紙検知装置３４は、第１の用紙搬送路５４と第２の用紙搬送路５６とが合流する合流部の上流側に設けられている。用紙検知装置３４は、第１の用紙搬送路５４に搬送される用紙により移動する第１の移動部６２０と、第２の用紙搬送路５６に搬送される用紙により移動する第２の移動部６２２と、第１の移動部６２０及び第２の移動部６２２に伴って移動する第３の移動部６２４とを有するアクチュエータ６２、及びこのアクチュエータ６２の第３の移動部６２４の移動を検知するセンサ６４を有する。第１の移動部６２０、第２の移動部６２２及び第３の移動部６２４は、一体に固定されている。用紙検知装置３４は、第１の移動部６２０等を回転自在に支持する支持軸６２６を有する。【選択図】図２
2008081281.tif 000002
【特許請求の範囲】
【請求項１】
第１の用紙搬送路に搬送される用紙により移動する第１の移動部と、
第２の用紙搬送路に搬送される用紙により移動する第２の移動部と、
前記第１の移動部及び前記第２の移動部に伴って移動する第３の移動部と、
前記第３の移動部の移動を検知する検知部と
を有する用紙検知装置。
【請求項２】
前記第１の移動部、前記第２の移動部及び前記第３の移動部は、一体に固定され、
前記第１の移動部、前記第２の移動部及び前記第３の移動部を回転自在に支持する支持軸をさらに有する
請求項１に記載の用紙検知装置。
【請求項３】
第１の用紙搬送路に搬送される用紙により移動される方向と逆の方向に第１の移動部を付勢し、第２の用紙搬送路に搬送される用紙により移動される方向と逆の方向に第２の移動部を付勢する付勢部材をさらに有する
請求項１又は２に記載の用紙検知装置。
【請求項４】
前記第３の移動部は、重力方向に沿って設けられ、
前記第１の移動部及び前記第２の移動部は、前記第３の移動部を軸として対称である
請求項１又は２に記載の用紙検知装置。
【請求項５】
前記検知部は、光センサであって、少なくとも２つの受光装置を有する
請求項１乃至４のいずれかに記載の用紙検知装置。
【請求項６】
用紙を搬送する第１の用紙搬送路と、
用紙を搬送する第２の用紙搬送路と、
前記第１の用紙搬送路及び前記第２の用紙搬送路に搬送される用紙を検知する用紙検知装置と
を有し、
前記用紙検知装置は、
第１の用紙搬送路に搬送される用紙により移動する第１の移動部と、
第２の用紙搬送路に搬送される用紙により移動する第２の移動部と、
前記第１の移動部及び前記第２の移動部に伴って移動する第３の移動部と、
前記第３の移動部の移動を検知する検知部と
を有する画像形成装置。
【請求項７】
前記用紙検知装置は、前記第１の用紙搬送路と前記第２の用紙搬送路とが合流する合流部の上流側に設けられている
請求項６に記載の画像形成装置。
【請求項８】
用紙を給紙するレジストロールと、
前記用紙検知装置による用紙の検知に基づいて前記レジストロールを制御する制御部と
をさらに有する請求項６又は７に記載の画像形成装置。
【発明の詳細な説明】
【技術分野】
【０００１】
本発明は、画像形成装置の搬送路に搬送される用紙を検知する用紙検知装置に関する。
【背景技術】
【０００２】
画像形成装置においてレジストローラでの斜行補正のタイミングを取るための用紙センサは公知である。
特許文献１では、給紙カセットからの用紙搬送路及び手差し給紙手段からの用紙搬送路から、感光体と転写ローラとのニップ部までに達する共通路を設置し、この共通路に給紙カセット及び手差し搬送路から搬送される用紙を給紙するタイミングを調整するための用紙検知を行う用紙検知手段が開示されている。
【０００３】
【特許文献１】特開平１０−１７１７９号公報
【発明の開示】
【発明が解決しようとする課題】
【０００４】
本発明は、本構成を有していない場合に比較して、より簡易な構成で、複数の用紙搬送路の用紙を検知することができる用紙検知装置を提供することを目的とする。
【課題を解決するための手段】
【０００５】
上記目的を達成するため、本発明に係る用紙検知装置は、第１の用紙搬送路に搬送される用紙により移動する第１の移動部と、第２の用紙搬送路に搬送される用紙により移動する第２の移動部と、前記第１の移動部及び前記第２の移動部に伴って移動する第３の移動部と、前記第３の移動部の移動を検知する検知部とを有する。本発明によれば、本構成を有していない場合に比較して、より簡易な構成で、複数の用紙搬送路の用紙を検知することができる
【０００６】
好適には、前記第１の移動部、前記第２の移動部及び前記第３の移動部は、一体に固定され、前記第１の移動部、前記第２の移動部及び前記第３の移動部を回転自在に支持する支持軸をさらに有する。本発明によれば、アクチュエータの振り角度を大きく確保することができる。
【０００７】
好適には、第１の用紙搬送路に搬送される用紙により移動される方向と逆の方向に第１の移動部を付勢し、第２の用紙搬送路に搬送される用紙により移動される方向と逆の方向に第２の移動部を付勢する付勢部材をさらに有する。
【０００８】
好適には、前記第３の移動部は、重力方向に沿って設けられ、前記第１の移動部及び前記第２の移動部は、前記第３の移動部を軸として対称である。本発明によれば、バネ等の弾性部材を不要とすることができる。
【０００９】
好適には、前記検知部は、光センサであって、少なくとも２つの受光装置を有する。本発明によれば、本構成を有していない場合に比較して、紙づまり位置を容易に特定することができる。
【００１０】
また、本発明に係る画像形成装置は、用紙を搬送する第１の用紙搬送路と、用紙を搬送する第２の用紙搬送路と、前記第１の用紙搬送路及び前記第２の用紙搬送路に搬送される用紙を検知する用紙検知装置とを有し、前記用紙検知装置は、第１の用紙搬送路に搬送される用紙により移動する第１の移動部と、第２の用紙搬送路に搬送される用紙により移動する第２の移動部と、前記第１の移動部及び前記第２の移動部に伴って移動する第３の移動部と、前記第３の移動部の移動を検知する検知部とを有する。本発明によれば、本構成を有していない場合に比較して、低コストかつ簡易な構成で、複数の用紙搬送路の用紙を検知することができる
【００１１】
好適には、前記用紙検知装置は、前記第１の用紙搬送路と前記第２の用紙搬送路とが合流する合流部の上流側に設けられている。本発明によれば、画像形成装置の小サイズ化を図ることができる。また、ユーザは、紙づまり後の復帰処理をより容易に行うことができる。
【００１２】
好適には、用紙を給紙するレジストロールと、前記用紙検知装置による用紙の検知に基づいて前記レジストロールを制御する制御部とをさらに有する。
【発明の効果】
【００１３】
本発明によれば、本構成を有していない場合に比較して、より簡易な構成で、複数の用紙搬送路の用紙を検知することができる。
【発明を実施するための最良の形態】
【００１４】
まず、本発明の実施形態に係る画像形成装置を図面に基づいて説明する。
図１は、本発明の実施形態に係る画像形成装置１０を示す図である。
図１に示すように、画像形成装置１０は、画像形成装置本体１２を有し、この画像形成装置本体１２の下部に例えば１段の給紙カセット２４が配置され、側面には画像形成装置本体１２の外部から所望の記録用紙（用紙）を給紙する手差し給紙手段３０が配置され、この給紙カセット２４又は手差し給紙手段３０から搬送されて画像が形成された記録用紙を排出する排出部３６が画像形成装置本体１２の上部に設けられている。
【００１５】
画像形成装置本体１２には、例えば略中央部にフルカラーの画像形成を行うプリントヘッドデバイス（Ｐｒｉｎｔ Ｈｅａｄ Ｄｅｖｉｃｅ ）１４が配置されている。プリントヘッドデバイス１４には、イエロー（Ｙ）、マゼンタ（Ｍ）、ブラック（Ｋ）、シアン（Ｃ）用の像保持体としての感光体ドラム１６ａ，１６ｂ，１６ｃ，１６ｄと、これらの感光体ドラム１６ａ，１６ｂ，１６ｃ，１６ｄ上に形成された静電潜像を、ＹＭＫＣの各色のトナーで現像する現像装置２０ａ，２０ｂ，２０ｃ，２０ｄと、４つの感光体ドラムのうちの２つの感光体ドラム１６ａ，１６ｂに接触する中間転写体としての第１の一次中間転写ドラム３８と、他の２つの感光体ドラム１６ｃ，１６ｄに接触する第２の一次中間転写ドラム４０と、第１、第２の一次中間転写ドラム３８，４０に接触する二次中間転写ドラム４２と、この二次中間転写ドラム４２に接触する転写部材としての最終転写ロール４４とが設けられている。なお、感光体ドラム１６ａ，１６ｂ，１６ｃ，１６ｄなど複数ある構成部分のいずれかを特定せずに示す場合には、単に感光体ドラム１６などと略記することがある。
【００１６】
また、画像形成装置本体１２には、プリントヘッドデバイス１４の像保持体としての４つの感光体ドラム１６ａ，１６ｂ，１６ｃ，１６ｄに画像露光を施す露光装置１８と、プリントヘッドデバイス１４の各色の現像装置２０ａ，２０ｂ，２０ｃ，２０ｄに対応する色のトナーを供給する４つのトナーカートリッジ２２ａ，２２ｂ，２２ｃ，２２ｄと、プリントヘッドデバイス１４からトナー像が転写された記録用紙に対して、定着処理を施す定着装置２６と、この定着装置２６によって片面に画像が定着された記録用紙を、表裏を反転した状態で、再度プリントヘッドデバイス１４の転写部へと搬送する両面用搬送経路２８と、記録用紙を不図示の紙送り工程を経て二次中間転写ドラム４２と最終転写ロール４４のニップ部に送り込む用紙搬送ロール４６と、給紙カセット２４及び手差し給紙手段３０から搬送される用紙を検知する用紙検知装置３４と、画像形成装置１０の各構成要素を制御する制御回路や画像信号に対して画像処理を施す画像処理回路等からなる制御部３２とが設けられている。
【００１７】
画像形成装置本体１２の例えば上面には、操作部４８が設けられている。操作部４８は、画像形成装置１０の制御情報や指示情報などを表示すると共に、指示情報などのユーザによる入力を受入れる。操作部４８は、例えばタッチパネルなどのユーザインターフェイス装置により構成される。なお、操作部４８は、スイッチなどの入力のみを受入れるものであってもよいし、表示などの出力のみを行うものであってもよく、これらを組合わせたものであってもよい。
【００１８】
図２は、本発明の実施形態に係る用紙検知装置３４を中心として画像形成装置１０の構成を示す図である。
図２に示すように、画像形成装置本体１２には、給紙カセット２４から供給される記録用紙を搬送する第１の用紙搬送路５４と、手差し給紙手段３０から供給される記録用紙を搬送する第２の用紙搬送路５６と、この第１の用紙搬送路５４と第２の用紙搬送路５６とが合流し、記録用紙を排出部３６まで搬送する合流搬送路５８とが設けられている。第１の用紙搬送路５４には給紙カセット２４から記録用紙を取り出す給紙ローラ５２が、第２の用紙搬送路５６には手差し給紙手段３０から供給された記録用紙を搬送する用紙搬送ロール６０が、合流搬送路５８には制御部３２が後述する用紙検知装置３４による用紙の検知に基づいて制御することにより記録用紙を所定のタイミングで転写位置に給紙するレジストロール５０がそれぞれ設けられている。
【００１９】
用紙検知装置３４は、第１の用紙搬送路５４と第２の用紙搬送路５６とが合流する合流部の上流側に設けられている。用紙検知装置３４は、第１の用紙搬送路５４に搬送される用紙により移動する第１の移動部６２０と、第２の用紙搬送路５６に搬送される用紙により移動する第２の移動部６２２と、第１の移動部６２０及び第２の移動部６２２に伴って移動する第３の移動部６２４とを有するアクチュエータ６２、及びこのアクチュエータ６２の第３の移動部６２４の移動を検知するセンサ６４（検知部）を有し、第１の用紙搬送路５４及び第２の用紙搬送路５６に搬送される用紙を検知する。
【００２０】
第１の移動部６２０、第２の移動部６２２及び第３の移動部６２４は、一体に固定されている。用紙検知装置３４は、第１の移動部６２０、第２の移動部６２２及び第３の移動部６２４を回転自在に支持する支持軸６２６をさらに有する。第１の移動部６２０は、第１の用紙搬送路５４に突出するように設けられ、第２の移動部６２２は、第２の用紙搬送路５６に突出するように設けられている。
【００２１】
したがって、記録用紙が給紙カセット２４から供給されて図中の矢印Ａのように第１の用紙搬送路５４に搬送されると、アクチュエータ６２の第１の移動部６２０に当たって合流搬送路５８を矢印Ｃのように搬送される。また、記録用紙が手差し給紙手段３０から供給されて図中の矢印Ｂのように第２の用紙搬送路５６に搬送されると、アクチュエータ６２の第２の移動部６２２に当たって合流搬送路５８を矢印Ｃのように搬送される。
【００２２】
図３は、用紙検知装置３４の詳細な構成を示す図であって、図３（Ａ）は、用紙検知装置３４の正面図であり、図３（Ｂ）は、図３（Ａ）に示される用紙検知装置３４の側面図である。
図３（Ａ）及び図３（Ｂ）に示すように、アクチュエータ６２の支持軸６２６には、バネ６６が巻きつけられている。バネ６６の端部６６０，６６２は、支持軸６２６から離れ、センサ６４の突起部６４２及び第３の移動部６２４に引っかけられている。第３の移動部６２４が移動すると、バネ６６の端部６６０，６６２のいずれか一方が第３の移動部６２４に引っかかり、他方が突起部６４２に引っかかる。このため、バネ６６は、第１の用紙搬送路５４に搬送される用紙により移動される方向と逆の方向に第１の移動部６２０を付勢し、第２の用紙搬送路５６に搬送される用紙により移動される方向と逆の方向に第２の移動部６２２を付勢する付勢部材を構成する。
【００２３】
センサ６４は例えば光センサであって、センサ６４には受光部６４０が設けられている。アクチュエータ６２の第３の移動部６２４のセンサ６４側には、発光部６３０が設けられている。センサ６４は、受光部６４０が発光部６３０から発される光を受け付けている間、オンである旨を制御部３２に対して出力し、受光部６４０が光を受け付けていない間、オフである旨を制御部３２に対して出力する。
【００２４】
センサ６４は、画像形成装置本体１２において、第１の用紙搬送路５４及び第２の用紙搬送路５６から離れた位置に設けられてもよい。この場合、紙粉の入り込みを抑制することができる。
【００２５】
なお、センサ６４は、例えば反射型の光センサであってもよく、この場合、センサ６４は、受光部６４０の替わりに受発光部を有し、受発光部が受発光部から発せられて第３の移動部６２４により反射された光を受け付けている間、オンである旨を制御部３２に対して出力する。
【００２６】
また、発光部６３０は、アクチュエータ６２の第３の移動部６２４ではなく、画像形成装置本体１２のいずれかの箇所に設けられていてもよい。この場合、アクチュエータ６２の第３の移動部６２４は、発光部６３０からの光がセンサ６４に受け付けられることを遮るように配置される。したがって、アクチュエータ６２が記録用紙により移動されると、センサ６４は、受光部６４０が発光部６３０から発される光を受け付けるようになるので、オン信号を制御部３２に対して出力する。制御部３２は、入力信号が変更されることにより、用紙を検知する。
【００２７】
図４は、搬送路に搬送される記録用紙とアクチュエータ６２の移動との関係を示す図である。
図４（Ａ）及び図４（Ｂ）は、記録用紙が第１の用紙搬送路５４を搬送される場合におけるアクチュエータ６２の移動の方向を示す。図４（Ａ）に示すように、記録用紙が矢印Ａのように第１の用紙搬送路５４を搬送されるとアクチュエータ６２の第１の移動部６２０に当たり、アクチュエータ６２は、図中の矢印Ｄに示すように、支持軸６２６を中心として反時計回りの方向に回転する。このため、センサ６４の受光部６４０は、光を受け付けなくなるので、オフ信号を制御部３２に対して出力する。
【００２８】
この場合、図４（Ｂ）に示すように、バネ６６の端部６６２がセンサ６４の突起部６４２に引っかかり、端部６６０がアクチュエータ６２の第３の移動部６２４に引っかかるので、バネ６６は、回転方向（矢印Ｄの方向）と逆の方向に第３の移動部６２４を付勢する。したがって、アクチュエータ６２は、バネ６６により、回転方向と逆の方向に移動され、図３に示される位置に復帰する。アクチュエータ６２が当該位置に復帰すると、センサ６４の受光部６４０は、発光部６３０から発せられる光を再び受け付けるので、オン信号を制御部３２に対して出力する。 
【００２９】
図４（Ｃ）及び図４（Ｄ）は、記録用紙が第２の用紙搬送路５６を搬送される場合におけるアクチュエータ６２の移動の方向を示す。図４（Ｃ）に示すように、記録用紙が矢印Ｂのように第２の用紙搬送路５６を搬送されるとアクチュエータ６２の第２の移動部６２２に当たり、アクチュエータ６２は、図中の矢印Ｅに示すように、支持軸６２６を中心として時計回りの方向に回転する。このため、センサ６４の受光部６４０は、光を受け付けなくなるので、オフ信号を制御部３２に対して出力する。
【００３０】
この場合、図４（Ｄ）に示すように、バネ６６の端部６６０がセンサ６４の突起部６４２に引っかかり、端部６６２がアクチュエータ６２の第３の移動部６２４に引っかかるので、バネ６６は、回転方向（矢印Ｅの方向）と逆の方向に第３の移動部６２４を付勢する。したがって、アクチュエータ６２は、バネ６６により、回転方向と逆の方向に移動され、図３に示される位置に復帰する。アクチュエータ６２が当該位置に復帰すると、センサ６４の受光部６４０は、発光部６３０から発せられる光を再び受け付けるので、オン信号を制御部３２に対して出力する。 
【００３１】
次に、本実施形態に係る画像形成装置１０の動作を説明する。
印刷命令が外部のコンピュータ等から画像形成装置１０に対して送信されると、感光体ドラム１６が一様に帯電され、この帯電された感光体ドラム１６には、画像信号に基づいて露光装置１８から光線が出射される。露光装置１８からの光線は、感光体ドラム１６の表面を露光し、潜像が形成される。露光装置１８により形成された感光体ドラム１６ａ，１６ｂ，１６ｃ，１６ｄの潜像は、トナーカートリッジ２２ａ，２２ｂ，２２ｃ，２２ｄからトナーを供給される現像装置２０ａ，２０ｂ，２０ｃ，２０ｄによってイエロー、マゼンタ、黒、シアンのトナー像を現像され、一次中間転写ドラム３８，４０に重ねて一次転写される。
【００３２】
給紙カセット２４に収納された記録用紙は、給紙ローラ５２により第１の用紙搬送路５４に搬送される。ここで、用紙検知装置３４は、記録用紙を検知する。より具体的には、記録用紙がアクチュエータ６２の第１の移動部６２０に当たり、アクチュエータ６２が回転すると、センサ６４の受光部６４０は光を受け付けなくなるので、センサ６４は制御部３２に対して出力する信号をオンからオフへ変更する。したがって、制御部３２は、用紙検知装置３４による記録用紙の検知に基づいてレジストロール５０を制御する。具体的には、用紙が検知されるタイミングに基づいて給紙信号を出力する。
【００３３】
記録用紙は、第１の用紙搬送路５４から合流搬送路５８に搬送され、制御部３２に制御されたレジストロール５０により、二次中間転写ドラム４２と最終転写ロール４４のニップ部に送り込まれる。一方、記録用紙が用紙検知装置３４の近傍を通過すると、アクチュエータ６２は、記録用紙が第１の移動部６２０に当たる前の位置にバネ６６により戻される。したがって、センサ６４の受光部６４０は光を受け付けるので、センサ６４は制御部３２に対して出力する信号をオフからオンへ変更する。
【００３４】
記録用紙が二次中間転写ドラム４２と最終転写ロール４４との間に導かれると、一次中間転写ドラム３８，４０に一次転写されているトナー像が二次中間転写ドラム４２と最終転写ロール４４とによって用紙に二次転写される。トナー像を転写された用紙は、定着装置２６に導かれて、トナー像を定着される。トナー像が定着した用紙は、排出口から排出部３６へ排出される。
【００３５】
なお、記録用紙が手差し給紙手段３０から供給される場合、記録用紙は第２の用紙搬送路５６に搬送される。記録用紙がアクチュエータ６２の第２の移動部６２２に当たり、アクチュエータ６２が回転すると、センサ６４の受光部６４０は光を受け付けなくなるので、センサ６４は制御部３２に対して出力する信号をオンからオフへ変更する。
【００３６】
次に、本発明の第２の実施形態に係る用紙検知装置３４を説明する。
本実施形態に係る用紙検知装置３４は、記録用紙が第１の用紙搬送路５４及び第２の用紙搬送路５６のいずれを搬送されたかを検知する点で、第１の実施形態に係る用紙検知装置３４と異なる。
【００３７】
図５は、本実施形態に係る用紙検知装置３４を示す図である。なお、図５に示された各構成のうち、図３に示された構成と実質的に同一のものには同一の符号が付されている。
図５に示すように、本実施形態に係る用紙検知装置３４は、少なくとも２つの受光部６４０ａ，６４０ｂを有する。具体的には、センサ６４には、複数（本例では２）の受光部６４０ａ，６４０ｂが設けられており、アクチュエータ６２の第３の移動部６２４には、複数（本例では２）の発光部６３０ａ，６３０ｂが設けられている。センサ６４は、受光部６４０ａ，６４０ｂが発光部６３０ａ，６３０ｂから発される光を受け付けている間、オンである旨を制御部３２に対して出力し、受光部６４０ａ，６４０ｂが光を受け付けていない間、オフである旨を制御部３２に対して出力する。つまり、センサ６４は、受光部６４０ａ，６４０ｂのそれぞれがオンであるか又はオフであるかを制御部３２に対して出力する。
【００３８】
図６は、本実施形態に係る画像形成装置１０の制御部３２の詳細を示す図である。
図６に示すように、制御部３２は、受付部３２０及び判定部３２２を有する。受付部３２０は、センサ６４から出力される２つのオン／オフ信号Ａ，Ｂ（第１の出力信号、第２の出力信号）を受け付けて判定部３２２に対して出力する。例えば、第１の出力信号、第２の出力信号はそれぞれ、センサ６４の受光部６４０ａ，６４０ｂがオンであるかオフであるかを示す。
【００３９】
判定部３２２は、この第１の出力信号、第２の出力信号に基づいて、アクチュエータ６２がいずれの方向に移動されたかを判定し、この判定結果に基づいて、記録用紙が第１の用紙搬送路５４及び第２の用紙搬送路５６のいずれを搬送されたかを求める。例えば、判定部３２２は、第１の出力信号に変化が生じた場合、アクチュエータ６２が反時計回りの方向に回転され、記録用紙が第１の用紙搬送路５４を搬送されたと判定する。また例えば、判定部３２２は、第２の出力信号に変化が生じた場合、アクチュエータ６２が時計回りの方向に回転され、記録用紙が第２の用紙搬送路５６を搬送されたと判定する。制御部３２は、この判定結果を操作部４８に表示してもよい。
【００４０】
なお、受付部３２０及び判定部３２２は、プログラムの機能の一部として実現され、プログラムが制御部３２の図示しないメモリにロードされ、図示しないＣＰＵより実行されてもよいし、受付部３２０及び判定部３２２が所定のハードウェアにより実現されてもよい。
【００４１】
図７は、制御部３２による搬送路判定処理（Ｓ１０）を示すフローチャートである。
図７に示すように、ステップ１００（Ｓ１００）において、制御部３２の受付部３２０は、センサ６４から出力される信号に変化があったか否かを判定する。出力に変化があった場合、制御部３２はＳ１０２の処理に進み、そうでない場合、制御部３２はＳ１００の処理に戻る。
【００４２】
ステップ１０２（Ｓ１０２）において、制御部３２の判定部３２２は、第１の出力信号の変化か否かを判定する。例えば、センサ６４が、第１の発光部６３０ａから受け付ける光に関する出力をオンからオフへ変更したか否かを判定する。受け付けた変化が第１の出力信号の変化である場合、制御部３２はＳ１０４の処理に進み、そうでない場合、制御部３２はＳ１０６の処理に進む。
【００４３】
ステップ１０４（Ｓ１０４）において、判定部３２２は、記録用紙が第１の用紙搬送路５４を搬送されたと判定し、その旨を操作部４８に表示する。
ステップ１０６（Ｓ１０６）において、判定部３２２は、記録用紙が第２の用紙搬送路５６を搬送されたと判定し、その旨を操作部４８に表示する。
【００４４】
次に、本発明の第３の実施形態に係る用紙検知装置３４を説明する。
本実施形態に係る用紙検知装置３４は、バネ６６により付勢されない点で第１の実施形態に係る用紙検知装置３４と異なる。
図８は、本実施形態に係る用紙検知装置３４を示す図である。なお、図８に示された各構成のうち、図３に示された構成と実質的に同一のものには同一の符号が付されている。
図８に示すように、本実施形態に係る用紙検知装置３４において、第３の移動部６２４は、重力方向（例えば、鉛直下向き）に沿って設けられ、第１の移動部６２０及び第２の移動部６２２は、第３の移動部６２４を軸として対象となるように設けられている。
【００４５】
記録用紙が第１の用紙搬送路５４を搬送されるとアクチュエータ６２の第１の移動部６２０に当たり、アクチュエータ６２は、反時計回り方向に移動する。記録用紙が第１の用紙搬送路５４におけるアクチュエータ６２の近傍を通過すると、アクチュエータ６２は、重力により、回転方向と逆の方向に移動され、図８示される位置に復帰する。
【００４６】
また、記録用紙が第２の用紙搬送路５６を搬送されるとアクチュエータ６２の第２の移動部６２２に当たり、アクチュエータ６２は、時計回り方向に移動する。記録用紙が第２の用紙搬送路５６におけるアクチュエータ６２の近傍を通過すると、アクチュエータ６２は、重力により、回転方向と逆の方向に移動され、図８示される位置に復帰する。
【図面の簡単な説明】
【００４７】
【図１】本発明の実施形態に係る画像形成装置１０を示す図である。
【図２】本発明の実施形態に係る用紙検知装置３４を中心として画像形成装置１０の構成を示す図である。
【図３】本発明の第１の実施形態に係る用紙検知装置３４の構成を示す図である。
【図４】搬送路に搬送される記録用紙とアクチュエータ６２の移動との関係を示す図である。
【図５】本発明の第２の実施形態に係る用紙検知装置３４の構成を示す図である。
【図６】画像形成装置１０の制御部３２の詳細を示す図である。
【図７】制御部３２による搬送路判定処理（Ｓ１０）を示すフローチャートである。
【図８】本発明の第３の実施形態に係る用紙検知装置３４の構成を示す図である。
【符号の説明】
【００４８】
１０ 画像形成装置
１２ 画像形成装置本体
２４ 給紙カセット
２８ 両面用搬送経路
３０ 手差し給紙手段
３２ 制御部
３４ 用紙検知装置
４８ 操作部
５０ レジストロール
５４ 第１の用紙搬送路
５６ 第２の用紙搬送路
５８ 合流搬送路
６２ アクチュエータ
６４ センサ
６６ バネ
３２０ 受付部
３２２ 判定部
６２０ 第１の移動部
６２２ 第２の移動部
６２４ 第３の移動部
６２６ 支持軸
６３０ 発光部
６４０ 受光部
６４２ 突起部
【図１】
2008081281.tif 000003
【図２】
2008081281.tif 000004
【図３】
2008081281.tif 000005
【図４】
2008081281.tif 000006
【図５】
2008081281.tif 000007
【図６】
2008081281.tif 000008
【図７】
2008081281.tif 000009
【図８】
2008081281.tif 000010